(57)【要約】      （修正有） 【課題】買物前には見栄えが良いハンドバッグとして、買物後は買物袋として使用できるばかりでなく、荷物の大きさや量に応じて大きさを変えることができ、その他にも様々な用途に使用できるバッグを提供する。【解決手段】袋部本体１に、袋状の収容部５と、収容部５の正面側壁部２５と背面側壁部３５との上縁側にそれぞれ形成されて、正面側壁部２５と背面側壁部３５との間に、それぞれ挿通孔３を形成する一対の把持部７ａ，７ｂを備えるバッグ。袋部本体１は、さらに収容部５の左右両縁から延設され、相互に結合可能な一対のベルト部９ａ、９ｂを備える。バッグは、袋部本体１と接続可能な別体の付属布１０を備える。袋部本体１は、収容部５を小さく変形して、装飾カバーを被せれば、ハンドバッグとして使用できる。付属布１０を袋部本体１に接続させれば、バッグを、エプロンや簡易合羽として使用できる。【選択図】図９
0003161073.tif 000002
【実用新案登録請求の範囲】
【請求項１】
荷物を収容可能に上方が開口した袋状の収容部と、前記収容部の正面側壁部と背面側壁部との上縁側にそれぞれ形成されて、前記正面側壁部と背面側壁部との間に、それぞれ使用者の腕、手や頭部を挿通可能とする挿通孔を形成する一対の把持部と、前記収容部の左右両縁から延設され、相互に結合可能な一対のベルト部と、を備える袋部本体と、
前記袋部本体に形成され、前記収容部の寸法を小さく変形可能に、前記袋部本体の部分と部分とを相互に接続可能とする複数の第一接続部材と、
前記袋部本体に収容されて、前記第一接続部材と係合可能な第二接続部材を備えた、前記袋部本体と別体の、略長方形状の付属布と、
を備えるバッグであって、
前記第一接続部材は、前記収容部の上下方向の寸法を縮小可能とする上下方向接続部材と、前記収容部の左右方向の幅を縮小可能とする左右方向接続部材とを備えることを特徴とするバッグ。
【請求項２】
前記左右方向接続部材が、前記収容部の下縁側に配置され、
前記左右方向接続部材と前記第二接続部材との係合により、前記付属布が、前記収容部に対し、前記収容部の上下方向の長さを延長するように接続可能とされること
を特徴とする請求項１記載のバッグ。
【請求項３】
前記付属布が、長さ方向において二つ折りされた際に長さ方向における一辺である閉じ側辺を閉じる締結部材を備え、前記第二接続部材が、閉じ側辺と対向する開放側辺に沿って配置され、
前記左右方向接続部材が、前記収容部の上縁近傍に配置され、  
前記締結手段により前記閉じ側辺を閉じられた前記付属布が、前記開放側辺を広げた状態で、前記左右方向接続部材と前記第二接続部材との係合により、前記収容部の上縁に沿って接続可能とされる
ことを特徴とする請求項１または請求項２に記載するバッグ。
【請求項４】
前記把持部が、第二接続部材と係合可能な第三接続部材を備え、
第二接続部材と第三接続部材との係合により、前記付属布が、前記挿通孔の一部を覆って前記挿通孔を小さくするように前記把持部に接続可能とされる
ことを特徴とする請求項１乃至請求項３のいずれかに記載するバッグ。
【請求項５】
前記第一接続部材の使用により小さく変形された前記収容部を覆って装飾するカバー部材をさらに備えることを特徴とする、請求項１乃至請求項４のいずれかに記載するバッグ。
【考案の詳細な説明】
【技術分野】
【０００１】
本考案は主に買物時に使用するバッグに関し、特に、買物前にも小型に変形してハンドバッグとして使用できるバッグに関する。
【背景技術】
【０００２】
食料品等の買い物時に、自前の買物袋（いわゆるマイバッグ又はエコバッグ）を持参することは、全国のスーパーマーケットでレジ袋有料化が浸透していることから、もはや常識である。
【考案の概要】
【考案が解決しようとする課題】
【０００３】
こうした買物袋は、薄手の布で小さく折り畳み可能に構成されることが多く、使用者はこの買物袋を通常、折り畳んだ小さな形で財布等と共にかばんに収容して携行し、店での買物後に広げ、購入した商品を入れて持ち帰る。ところが、外出時にかばんに買物袋を入れ忘れてしまったり、外出先で期せずして買物をすることになった時などに、有料のレジ袋を購入する羽目になったりすることがある。
【０００４】
そこで、持って行くのを忘れないために、買物袋自体を、財布等を収容するための鞄として使用することが考えられるが、袋状に広げた状態の買物袋に財布等のみを入れて持ち歩くのでは、袋が大きすぎるし、格好が良くない。
【０００５】
そこで、本考案は、買物前には見栄えが良いハンドバッグとして、買物後は買物袋として使用できるばかりでなく、荷物の大きさや量に応じて大きさを変えることができ、その他にも様々な用途に使用できるバッグを提供することを目的とする。
【課題を解決するための手段】
【０００６】
本考案に係るバッグは、荷物を収容可能に上方が開口した袋状の収容部と、収容部の正面側壁部と背面側壁部との上縁側にそれぞれ形成されて、正面側壁部と背面側壁部との間に、それぞれ使用者の腕、手や頭部を挿通可能とする挿通孔を形成する一対の把持部と、収容部の左右両縁から延設され、相互に結合可能な一対のベルト部と、を備える袋部本体と、
袋部本体に形成され、収容部の寸法を小さく変形可能に、袋部本体の部分と部分とを相互に接続可能とする複数の第一接続部材と、
袋部本体に収容されて、第一接続部材と係合可能な第二接続部材を備えた、袋部本体と別体の、略長方形状の付属布と、
を備えるバッグであって、
第一接続部材は、収容部の上下方向の寸法を縮小可能とする上下方向接続部材と、収容部の左右方向の幅を縮小可能とする左右方向接続部材とを備えることを特徴とする。
【０００７】
本考案に係るバッグは、袋部本体が、収容部の寸法を小さく変形可能に、袋部本体の部分と部分とを相互に接続可能とする複数の第一接続部材を備え、第一接続部材は、収容部の上下方向の寸法を縮小可能とする上下方向接続部材と、左右方向の幅を縮小可能とする左右方向接続部材と、を備える。この構成によれば、第一接続部材を使用して収容部を上下方向、左右方向において小さくした際に、財布等を収容する小型のハンドバッグとしてバッグを使用できるため、外出時にマイバッグを持っていくのを忘れることを防止することができる。勿論、買物後等には第一接続部材の接続を解除して収容部を大きくし、荷物を入れるマイバッグとして使用することができる。その上、収容部を小さくする場合に、上下方向接続部材と左右方向接続部材の両方を必ずしも使用する必要はなく、左右方向接続部材のみを使用したり、上下方向接続部材のみを使用したりすることができ、荷物の量、大きさ、又は形に応じて、収容部の形や容量を多段階に設定することができる。
【０００８】
また、袋部本体は、収容部の正面側壁部と背面側壁部との上縁側にそれぞれ形成されて、正面側壁部と背面側壁部との間に、それぞれ使用者の腕、手や頭部を挿通可能とする挿通孔を形成する一対の把持部と、収容部の左右両縁から延設され、相互に結合可能な一対のベルト部と、を備えるため、把持部を首にかけ、ベルト部を背中側で結べば、食事の際の衣服の汚れを防ぐ食事エプロンとして使用することができる。さらに、略長方形状の付属布が、袋部本体に収容されているため、外出先で、必要に応じ、敷物として利用することができる。
【０００９】
上記のバッグにおいて、左右方向接続部材が、収容部の下縁側に配置されて、左右方向接続部材と第二接続部材との係合により、付属布が、収容部に対し、収容部の上下方向の長さを延長するように接続可能とされれば、バッグは、衣服の汚れをより広範囲に亘って防止できるエプロンとして使用することができる。この構成では、収容部の左右方向の幅寸法を縮めるための左右方向接続部材を、そのまま、付属布を接続させるのに使用できるため、別途、付属布を接続する手段を袋部本体側にもうける必要がなく、袋部本体の製造が簡易になる。
【００１０】
また、上記のバッグにおいて、付属布を、長さ方向において二つ折りされた際に長さ方向における一辺である閉じ側辺を閉じる締結部材を備え、第二接続部材が、閉じ側辺と対向する開放側辺に沿って配置されるように構成し、左右方向接続部材を、収容部の上縁近傍に配置して、締結手段により閉じ側辺を閉じられた付属布が、開放側辺を広げた状態で、左右方向接続部材と第二接続部材との係合により、収容部の上縁に沿って接続可能に構成してもよい。このように袋部本体と付属布とを接続すると、外出先で急な雨に降られた場合等に、バッグを、付属布の部位をフードとする簡易合羽として使用することができる。エプロンの場合と同様、収容部の左右方向の幅寸法を縮めるための左右方向接続部材を、そのまま、付属布を接続させるのに使用できるため、別途、付属布を接続する手段を袋部本体側にもうける必要がない。
【００１１】
また、上記のバッグにおいて、袋部本体の把持部に、第二接続部材と係合可能な第三接続部材を配置してもよい。この第三接続部材と付属布の第二接続部材とを係合させて、付属布を、挿通孔の一部を覆って挿通孔を小さくするように把持部に接続すれば、体格の小さな子供の首元から胸を覆うことができる子供用食事エプロンとしてバッグを使用することができる。
【００１２】
また、上記のバッグが、第一接続部材の使用により小さく変形された収容部を覆って装飾するカバー部材をさらに備えることとすれば、ハンドバッグとして使用する場合の外観を向上させることができる。カバー部材は、色、模様、素材の異なる数種類を用意すれば、季節や服に合わせて取り替えることができる。
【図面の簡単な説明】
【００１３】
【図１】本考案の実施例であるバッグにおいて、最も大きい形状に展開した状態の袋部本体、付属布及び装飾カバーを別々に図示した斜視図である。
【図２】袋部本体の正面図である。
【図３】袋部本体の背面図である。
【図４】付属布の、二つ折りにする際の内周面を示す正面図である。
【図５】装飾カバーの展開状態と、装飾面を外側にするように二つ折りにした状態を示す図である。
【図６】袋部本体の収容部を、中容量サイズに変形した状態を示す背面図である。
【図７】収容部を、小容量サイズに変形した状態を示す背面図である。
【図８】小容量サイズに変形した収容部を、装飾カバーで覆う状態を示す斜視図である。
【図９】エプロンとして使用可能に袋部本体と付属布を接続する態様を示す図である。
【図１０】子供用食事エプロンとして使用可能に袋部本体と付属布とを接続する態様を示す図である。
【図１１】簡易合羽として使用可能に袋部本体と付属布とを接続する態様を示す図である。
【考案を実施するための形態】
【００１４】
以下に本考案の望ましい実施形態を図面に基づいて説明する。
【００１５】
図１は、本考案の一実施形態であるバッグＢの構成要素である袋部本体１と、袋部本体１内に収容される付属布１０と、装飾カバー６０とを、別々に図示した斜視図である。バッグＢは、荷物の大きさに応じて、大きさや形状を変え、また、鞄としての用途以外の種々の用途に使用可能なバッグである。
【００１６】
袋部本体１を最も大きく展開した状態を示す図２，図３を参照しつつ説明すると、袋部本体１は、同形状に裁断された、一般家庭で洗濯が可能な素材からなる２枚の基布を周縁で縫合して形成されるもので、上方が開口した袋状の収容部５と、収容部５の正面側壁部２５の上縁２５ａ及び背面側壁部３５の上縁３５ａ側にそれぞれ形成される一対の把持部７ａ，７ｂと、を備える。実施形態では、袋部本体１を形成する正面側と背面側の基布が、それぞれ、正面側壁部２５と把持部７ａ、背面側壁部３５と把持部７ｂを一体として構成されるように図示されているが、把持部７ａと正面側壁部２５、把持部７ｂと背面側壁部３５は、洗濯可能な別々の生地から形成されていてもよい。
【００１７】
収容部５は、上方を、荷物の入れ口として開口されるもので、本実施形態では、正面側壁部２５の内周面に内ポケット６を備え、不使用時の付属布１０を折り畳んで収容している。
【００１８】
把持部７ａは、収容部５の正面側壁部２５の上縁２５ａに形成されている。把持部７ａと正面側壁部２５との間には、使用者の腕や手、さらには頭部を挿通させることができる大きさの挿通孔３が形成されている。把持部７ｂは、収容部５の背面側壁部３５の上縁３５ａ側に形成されて、把持部７ａと同様に、背面側壁部３５との間に挿通孔３を形成している。
【００１９】
袋部本体１における収容部５の左右両縁からは、ベルト部９ａ，９ｂが延設されている。ベルト部９ａ，９ｂは、図２，図３に示すバッグＢを最も大きく展開した状態において、収容部５の正面側壁部２５側ないしは背面側壁部３５側で相互に結合可能な長さに形成されるものであり、通常、相互に結合されている。本実施形態では、ベルト部９ａ，９ｂは、袋部本体１とは別の生地で狭幅の帯状に形成され、２枚の基布を縫合して袋部本体１を形成する際に、挟み込んで共縫いされて袋部本体１に対し取着され、相互に蝶々結びされている。取着位置は、本実施形態では、収容部５の上下方向の中間位置よりやや上方である。本実施形態のベルト部９ａ，９ｂの片方は、収容部５の正面側壁部２５の略中央に設けられた環部４に通されて、蝶々結びした際に、下方に垂れないようにしている。なお、ベルト部９ａ，９ｂの形状および結合構造は、上述した態様に限らず、例えば、自由端側にボタンとボタンホール等の任意の係止手段を設けた長さの短い形状とし、相互に結合可能な構成としてもよい。
【００２０】
上述したように、収容部５は、荷物の大きさに応じて、大きさや形状を変更可能に構成されるもので、それを可能とする複数の第一接続部材２０（２０ａ，２０ｂ）及び３０（３０ａ，３０ｂ）を、収容部５の正面側壁部２５と背面側壁部３５とのそれぞれ外周面上に備えている。本実施形態では、後述する付属布１０に設けられる第二接続部材４０、把持部７ａに設けられる第三接続部材５０を含めた全ての接続部材について、相互に係合可能な雌雄のスナップを採用している。なお、理解を容易にするために、各図面において、雄スナップは濃灰色で塗りつぶし、雌スナップは白色で示している。
【００２１】
図２に示すように、収容部５の正面側壁部２５においては、雄スナップ２０ａが、収容部５の正面側壁部２５の下縁２５ｂ近傍における、左右の縁から、左右の幅の１／４程中央側の部位の左右にそれぞれ一箇所ずつ設けられている。また、雌スナップ２０ｂが、上縁２５ａ近傍における、左右の縁から、左右の幅の１／４程中央側の部位の左右にそれぞれ一箇所ずつ設けられている。これらのスナップ２０ａ，２０ｂは、収容部５の上下方向の寸法を縮めるために使用される上下方向接続部材であって、上下方向で対応する雄スナップ２０ａと雌スナップ２０ｂは左右方向における略同位置に配置されている。なお、収容部５の正面側において、把持部７ａの元部近傍の左右両側に一箇所ずつ配設されているのは、後に詳述するが、子供用食事エプロンとして使用可能に付属布１０を接続させる第三接続部材５０である。第三接続部材５０は、第一接続部材と同種のスナップであり、本実施形態では、雄スナップである。
【００２２】
図３に示すように、収容部５の背面側壁部３５においては、左右方向における中心線Ｄ上であって、上縁３５ａ近傍の一箇所に雄スナップ２０ａが、中心線Ｄ上であって下縁近傍の一箇所に雌スナップ２０ｂが設けられている。これらのスナップ２０ａ，２０ｂは、上述したのと同様、収容部５の上下方向の寸法を縮めるために使用される上下方向接続部材である。左右両縁近傍における上下方向に沿った三箇所の合計６箇所には、収容部５の左右方向の幅を縮めるのに使用される左右方向接続部材としての雄スナップ３０ａが、設けられている。各雄スナップ３０ａは、中心線Ｄに対して左右対称に、上下方向の同位置に配置されている。雄スナップ３０ａと係合する左右方向接続部材としての雌スナップ３０ｂは、雄スナップ３０ａと上下方向に沿った同位置の三箇所において、中心線Ｄを挟んだ左右両側に一個ずつの合計６箇所に設けられている。
【００２３】
なお、袋部本体１の変形態様は、後にバッグＢの使用方法において詳述する。
【００２４】
図４に示すように、付属布１０は、一般家庭で洗濯が可能な素材からなる略長方形状の布片であって、不使用時は袋部本体１の収容部５内に折り畳んで収納され、後述するように、袋部本体１を多用途に使用可能とするために、袋部本体１に接続されるものである。本実施形態では、袋部本体１と同素材の生地からなり、長さ方向における長さを、袋部本体１の収容部５の左右の幅と略同じとする横長の長方形に形成されている。その長さ方向における一方の辺である閉じ側辺１２には、付属布１０を、長さ方向における中央線Ｃで二つ折りにした際に、閉じ側辺１２を閉じることができるように、ファスナー（締結部材）１５が配設されている。付属布１０は、袋部本体１における左右方向接続部材３０と係合可能な第二接続部材４０（４０ａ，４０ｂ）を備える。各接続部材（スナップ）４０は、図例では、裏面(中心線Ｃに沿って二つ折りにする場合の内周面）１０ａに設けられている。具体的には、雄スナップ４０ａが、幅方向における両縁近傍において、中心線Ｃを挟んで２箇所の合計４箇所と、雌スナップ４０ｂが、四隅の近傍にそれぞれ一個ずつ、配置されている。なお、中心線Ｃを挟んで配置される２個ずつの雄スナップ４０ａ間の間隔は、収容部５の背面側壁部３５において、左右方向の中心線Ｄを挟んで配置される各一対の雌スナップ３０ｂの間隔と、対応している。これらの接続部材４０は、付属布１０の表面(中心線Ｃに沿って二つ折りにする場合の外周面）における同位置に配置されていても構わない。
【００２５】
図５に示すように、装飾カバー６０は、縦長の略長方形状のシート材からなるもので、後述するように、袋部本体１の収容部５の大きさを小さくした際に、収容部５を覆って装飾するためのカバーである（図８参照）。本実施形態の装飾カバー６０は、長さ方向の中心線Ｅで二つ折りにされた際に、左右方向及び上下方向の両方において小さくした収容部５（すなわち、後述する小容量バッグＳＢにおける収容部５）の寸法と略同一か若干大きい寸法に形成され、その外表面には、使用者が所望する任意の色、模様等の装飾Ｋが施されている。装飾カバー６０には、展開状態における長さ方向の略中央において、左右の両縁から中央線Ｅに沿って内側に延びるスリット６２が形成されている。このスリット６２は、小さく変形された状態のバッグＢに被せられた際に、把持部７ａ，７ｂを挿通可能とするものである。また、左右両縁において、スリット６２の元部における両側には、相互に係止可能な係止部材６５が配設されている。
【００２６】
次に、本考案にかかるバッグＢの使用方法について説明する。まず、バッグＢの収容部５は、図１，図２に示した、収容部５を最も大きく展開し、容量を最大にした最大容量状態から、その外形や容量を小さく変形可能なものである。本実施形態の収容部５は、最大容量状態から、中容量状態と、小容量状態の２段階に小さく変形可能に構成されている。
【００２７】
まず、図３及び図６に示すように、収容部５の背面側壁部３５における、左右両縁において上下方向に並設された各３個の雄スナップ３０ａを、それぞれ、左右方向の中央付近の上下方向における同一位置に設けられた対応する雌スナップ３０ｂに係合させると、収容部５の左右方向の幅を小さくした中容量バッグＭＢとして使用することができる。
【００２８】
次に、図６及び図７に示すように、中容量バッグＭＢの状態から、収容部５を背面側壁部３５側の上下方向の略中央で二つ折りにし、背面側壁部３５の上縁３５ａと下縁３５ｂとの近傍の左右方向の略中央に配置される雌スナップ２０ｂと雄スナップ２０ａ（すなわち、上下方向接続部材）とを係合させる。この時、収容部５の正面側壁部２５の上縁２５ａ近傍における、左右の縁から、左右の幅の１／４程中央側の部位にそれぞれ配置された雌スナップ２０ｂと、正面側壁部２５の下縁２５ｂ近傍における、左右の縁から、左右の幅の１／４程中央側の部位にそれぞれ配置された雄スナップ２０ａが、収容部５の左右両側を折り畳んだために、ちょうど中容量バッグＭＢの左右両縁に位置している。それらの雄スナップ２０ａと雌スナップ２０ｂ（上下方向接続部材）をそれぞれ相互に係合させると、買物前に財布等を入れて持ち歩くのに適した大きさの小容量バッグＳＢの状態になる。この小容量バッグＳＢに、上述した装飾カバー６０を、挿通孔３を通して収容部５に被せ、装飾カバー６０に設けられた係止部材６５で留めれば、図８に示すように、見栄えのよいハンドバッグとして使用することもできる。
【００２９】
次に、付属１０を袋部本体１に接続して、バッグＢを、荷物を収容する以外の用途、具体的には、エプロン、簡易合羽、子供用食事エプロンとして用いる方法について説明する。
【００３０】
エプロンとして使用する場合には、図９に示すように、まず、袋部本体１を、正面側壁部２５と背面側壁部３５とを重ねて平らにした状態で背面側壁部３５が上になるように置き、付属布１０を、長さ方向における一辺が袋部本体１の左右方向に沿い、スナップ（第二接続部材）４０ａ，４０ｂが、背面側壁部３５に対向するように配置する。この時の長さ方向における一辺とは、閉じ側辺１２と、閉じ側辺１２に対向する開放側辺１７のうちのどちらでもよい。そして、付属布１０の長さ方向に沿って並設された、雌スナップ４０ｂ，雄スナップ４０ａ，４０ａ及び雌スナップ４０ｂを、背面側壁部３５の下縁近傍で左右方向に並設された、雄スナップ３０ａ，雌スナップ３０ｂ，３０ｂ及び雄スナップ３０ａ（左右方向接続部材）に係合させる。すると、付属布１０により、袋部本体１の上下方向の寸法が延長される態様となる。この状態のバッグＢを、把持部７ａ，７ｂをそろえて使用者の首にかけ、ベルト部９ａ，９ｂを背中側で結べば、外出先で必要になった場合等に、エプロンＡとして使用できる。なお、収容部５の背面側壁部３５の左右方向に一列に並んだ、雄スナップ３０ａ，雌スナップ３０ｂ，３０ｂ及び雄スナップ３０ａは、上述したように、収容部５の左右方向の幅を小さくするのに使用される左右方向接続部材３０の一部であるが、左右方向接続部材３０は、上下３段に設けられているため、付属布１０の接続位置は、最下段のものに限らず、使用者の身長等に合わせて、中段において左右方向に一列に並んだ、雄スナップ３０ａ，雌スナップ３０ｂ，３０ｂ及び雄スナップ３０ａに係合させてもよいし、上段において左右方向に一列に並んだ、雄スナップ３０ａ，雌スナップ３０ｂ，３０ｂ及び雄スナップ３０ａに係合させてもよい。上段の各接続部材３０に係合させた場合には、収容部５の汚れを防止する目的で、介護用の食事エプロンとして使用することができる。
【００３１】
次に、子供用食事エプロンとして使用する際には、図１０に示すように、袋部本体１を、正面側壁部２５が上を向くように置き、その上に、付属布１０を、長さ方向が袋部本体１の上下方向に沿い、各スナップ（第二接続部材）４０ａ，４０ｂが無い面が正面側壁部２５に対向するように配置する。そして、付属布１０の上端側を、正面側壁部２５側に反転させるようにして、上端側の２個の雌スナップ４０ｂを、袋部本体１の把持部７ａに配置された各雄スナップ５０（第三接続部材）と係合させる。すると、付属布１０が把持部７と収容部５の間に形成される挿通孔３の一部を覆うことにより、挿通孔３が小さくなり、体格の小さな子供の首元から胸を覆うことができる子供用食事エプロンＣＡとして使用することができる。この時、付属布１０の下端側を折り返し、雌スナップ４０ｂを上方の雄スナップ４０ａと係合させれば、食べこぼしを受けるポケットとして利用することもできる。
【００３２】
簡易合羽として使用するには、図１１に示すように、まず、付属布１０において、締結部材（ファスナー）１５を閉じて、閉じ側辺１２を閉じる。そして、閉じ側辺１２と対向する開放側辺１７を開いた状態で、各スナップ４０ａ，４０ｂが、収容部５の背面側壁部３５の上縁３５ａに沿うように配置する。そして、付属布１０の開放側辺１７に順に配置された雌スナップ４０ｂ，雄スナップ４０ａ，４０ａ及び雌スナップ４０ｂと、背面側壁部３５の上縁３５ａで左右方向に並んだ雄スナップ３０ａ，雌スナップ３０ｂ，３０ｂ及び雄スナップ３０ａとを係合させる。この状態で付属布１０を、頭に被せれば、外出先で急な雨に降られた場合等に、付属布１０をフードとする、簡易合羽ＲＣとして使用することができる。この時、ベルト部９ａ，９ｂを身体の前面で結べば、風が吹いても飛ばされない。また、把持部７ａ，７ｂは、フードの中に入れ込んで使用する。
【００３３】
以上のように、本考案に係るバッグＢは、袋部本体１が、収容部５のサイズを小さく変形可能に、袋部本体１の部分と部分とを相互に接続可能とする複数の第一接続部材２０，３０を備える。また、第一接続部材は、収容部５の上下方向の寸法を縮小可能とする上下方向接続部材２０（２０ａ，２０ｂ）と、左右方向の幅を縮小可能とする左右方向接続部材３０（３０ａ，３０ｂ）と、を備える。この構成によれば、第一接続部材２０，３０を使用して収容部５を上下方向、左右方向において小さくできるため、財布等を収容するのに適した大きさのハンドバッグとしてバッグＢを使用でき、外出時にマイバッグを持っていくのを忘れることを防止することができる。勿論、買物後等には第一接続部材２０，３０の接続を解除して収容部５を大きくし、荷物を入れるマイバッグとして使用することができる。その上、収容部５を小さくする場合に、上下方向接続部材と左右方向接続部材の両方を必ずしも使用する必要はなく、正面側壁部における左右方向接続部材３０のみを使用したり、背面側壁部における上下方向接続部材２０のみを使用したりすることができ、荷物の量、大きさ、又は形に応じて、収容部５の容量や形を多段階に設定することができる。また、本実施形態では、左右方向と上下方向それぞれにおいて、寸法変更の段階を、収容部５の最も大きく広げた場合の略半分の一段階としたが、寸法変更の段階の数はこれに限られない。例えば、左右方向接続部材では、背面側壁部３５において、雄スナップ３０ａと雌スナップ３０ｂの左右の中間位置に、雌スナップ３０ｂの代わりに、又は加えて、雌スナップ３０ｂ´（図示せず）を配設して、図示した中容量バッグＭＢより広幅に設定可能としてもよい。また、上下方向接続部材では、正面側壁部２５、背面側壁部３５において、雌スナップ２０ｂを、上下方向の中間位置にもう一個ずつ配置し、図示した小容量バッグＳＢより上下寸法を大きく設定可能としてもよい。
【００３４】
また、袋部本体１は、収容部５の正面側壁部２５及び背面側壁部３５の上縁２５ａ，３５ａ側にそれぞれ形成されて、正面側壁部２５及び背面側壁部３５との間に、使用者の腕、手や頭部を挿通可能とする挿通孔３をそれぞれ形成する一対の把持部７ａ，７ｂと、収容部５の左右両縁から延設され、相互に結合可能な一対のベルト部９ａ，９ｂと、を備えるため、把持部７ａ，７ｂを首にかけ、ベルト部９ａ，９ｂを背中側で結べば、食事の際の衣服の汚れを防ぐ食事エプロンとして使用することができる。さらに、略長方形状の付属布１０が、袋部本体１に収容されているため、外出先で、必要に応じ、敷物として利用することができる。
【００３５】
また、本実施形態では、左右方向接続部材３０ａ，３０ｂが、収容部５の下縁５ｂ（背面側壁部３５の下縁３５ｂ）側において左右方向に沿って配置される一方、付属布１０は、長さ方向における辺に沿って左右方向接続部材３０ａ，３０ｂと係合可能な第二接続部材４０ａ，４０ｂを雌雄が対応する状態で配設させているから、収容部５の下縁側に配置された左右方向接続部材３０ａ，３０ｂと係合されれば、収容部５の上下方向の長さが延長され、バッグＢを、より広範囲に亘って衣服の汚れを防止できるエプロンとして使用することができる。また、収容部５の左右方向の幅寸法を縮めるための左右方向接続部材３０ａ，３０ｂを、そのまま、付属布１０を接続させるのに使用できるため、別途、付属布１０を接続する手段を、袋部本体１側に設ける必要がなく、袋部本体１の製造が簡易になる。
【００３６】
また、付属布１０は、長さ方向における一辺である閉じ側辺１２に、長さ方向で二つ折りした際に閉じ側辺１２を閉じ可能とする締結部材１５を備え、閉じ側辺１２と対向する開放側辺１７に沿って第二接続部材４０ａ，４０ｂを配設させている。この第二接続部材４０ａ，４０ｂは、収容部５の上縁５ａ（背面側壁部３５の上縁３５ａ）近傍に配置された左右方向接続部材３０ａ，３０ｂと雌雄が対応する状態で配設されているから、締結手段１５により閉じ側辺１２を閉じられた付属布１０が、開放側辺１７を広げた状態で、収容部５の上縁に沿って接続可能となり、外出先で急な雨に降られた場合等に、バッグＢを、付属布１０の部位をフードとする簡易合羽として使用することができる。また、エプロンの場合と同様、収容部５の左右方向の幅寸法を縮めるための左右方向接続部材３０ａ，３０ｂを、そのまま、付属布１０を接続させるのに使用できるため、別途、付属布１０を接続する手段を、袋部本体１側に設ける必要がない。
【００３７】
さらに、バッグＢは、袋部本体１の把持部７ａに、第二接続部材４０と係合可能な第三接続部材５０を備えている。これを利用し、付属布１０を、挿通孔３の一部を覆って挿通孔３を小さくするように把持部７ａに接続すれば、体格の小さな子供の首元から胸を覆うことができる子供用食事エプロンとして使用することができる。
【００３８】
また、バッグＢは、第一接続手段２０，３０の使用により小さく変形された収容部を覆って装飾するカバー部材６０をさらに備えるため、ハンドバッグとして使用される場合の外観を向上させることができる。カバー部材６０は、色、模様、素材の異なる数種類を用意すれば、季節や服に合わせて取り替えることができる。
【００３９】
なお、本実施形態における袋部本体１と付属布１０は、家庭で洗濯可能な素材で製造されているため、汚れても洗濯することができる。
【００４０】
本実施形態では、第一接続部材２０，３０、第二接続部材４０、第三接続部材５０の全てについて、相互に係合可能な雌雄のスナップを採用したが、各接続部材はこれに限らず、たとえば、上下方向接続部材を、ファスナーとしてもよい。また、相互に対応を必要とする左右方向接続部材、第二接続部材、第三接続部材を、面ファスナー等の別種の係止部材から構成してもよい。
【００４１】
さらに、付属布１０を簡易合羽として使用する際に閉じ側辺１２を閉じるための締結部材として、本実施形態ではファスナー１５を使用したが、閉じ側辺１２に沿って、第一、第二、第三接続部材２０，３０，４０，５０と同種のスナップを適宜配置して、締結部材としてもよい。
【符号の説明】
【００４２】
１  ・・・  袋部本体
３  ・・・  挿通孔
５  ・・・  収容部
５ａ  ・・・  上縁
５ｂ  ・・・  下縁
７ａ，７ｂ  ・・・  把持部
９ａ，９ｂ  ・・・  ベルト部
１０  ・・・  付属布
１２  ・・・  閉じ側辺
１５    ・・・  締結部材
１７  ・・・  開放側辺
２０    ・・・  第一接続部材（上下方向接続部材）
２５    ・・・  正面側壁部
２５ａ  ・・・  上縁
３０  ・・・  第一接続部材（左右方向接続部材）
３５  ・・・  背面側壁部
３５  ・・・  上縁
４０  ・・・  第二接続部材
５０  ・・・  第三接続部材
６０    ・・・  装飾カバー
Ｂ  ・・・  バッグ
【図１】
0003161073.tif 000003
【図２】
0003161073.tif 000004
【図３】
0003161073.tif 000005
【図４】
0003161073.tif 000006
【図５】
0003161073.tif 000007
【図６】
0003161073.tif 000008
【図７】
0003161073.tif 000009
【図８】
0003161073.tif 000010
【図９】
0003161073.tif 000011
【図１０】
0003161073.tif 000012
【図１１】
0003161073.tif 000013
【手続補正書】
【提出日】平成22年5月10日(2010.5.10)
【手続補正１】
【補正対象書類名】実用新案登録請求の範囲
【補正対象項目名】全文
【補正方法】変更
【補正の内容】
【実用新案登録請求の範囲】
【請求項１】
荷物を収容可能に上方が開口した袋状の収容部と、前記収容部の正面側壁部と背面側壁部との上縁側にそれぞれ形成されて、前記正面側壁部と背面側壁部との間に、それぞれ使用者の腕、手や頭部を挿通可能とする挿通孔を形成する一対の把持部と、前記収容部の左右両縁から延設され、相互に結合可能な一対のベルト部と、を備える袋部本体と、
前記袋部本体に形成され、前記収容部の寸法を小さく変形可能に、前記袋部本体の部分と部分とを相互に接続可能とする複数の第一接続部材と、
前記袋部本体に収容されて、前記第一接続部材と係合可能な第二接続部材を備えた、前記袋部本体と別体の、略長方形状の付属布と、
を備えるバッグであって、
前記第一接続部材は、前記収容部の上下方向の寸法を縮小可能とする上下方向接続部材と、前記収容部の左右方向の幅を縮小可能とする左右方向接続部材とを備えることを特徴とするバッグ。
【請求項２】
前記左右方向接続部材が、前記収容部の下縁側に配置され、
前記左右方向接続部材と前記第二接続部材との係合により、前記付属布が、前記収容部に対し、前記収容部の上下方向の長さを延長するように接続可能とされること
を特徴とする請求項１記載のバッグ。
【請求項３】
前記付属布が、長さ方向において二つ折りされた際に長さ方向における一辺である閉じ側辺を閉じる締結部材を備え、前記第二接続部材が、前記閉じ側辺と対向する開放側辺に沿って配置され、
前記左右方向接続部材が、前記収容部の上縁近傍に配置され、
前記締結部材により前記閉じ側辺を閉じられた前記付属布が、前記開放側辺を広げた状態で、前記左右方向接続部材と前記第二接続部材との係合により、前記収容部の上縁に沿って接続可能とされる
ことを特徴とする請求項１または請求項２に記載するバッグ。
【請求項４】
前記把持部が、第二接続部材と係合可能な第三接続部材を備え、
第二接続部材と第三接続部材との係合により、前記付属布が、前記挿通孔の一部を覆って前記挿通孔を小さくするように前記把持部に接続可能とされる
ことを特徴とする請求項１乃至請求項３のいずれかに記載するバッグ。
【請求項５】
前記第一接続部材の使用により小さく変形された前記収容部を覆って装飾するカバー部材をさらに備えることを特徴とする、請求項１乃至請求項４のいずれかに記載するバッグ。
【手続補正２】
【補正対象書類名】明細書
【補正対象項目名】００１０
【補正方法】変更
【補正の内容】
【００１０】
また、上記のバッグにおいて、付属布を、長さ方向において二つ折りされた際に長さ方向における一辺である閉じ側辺を閉じる締結部材を備え、第二接続部材が、閉じ側辺と対向する開放側辺に沿って配置されるように構成し、左右方向接続部材を、収容部の上縁近傍に配置して、締結部材により閉じ側辺を閉じられた付属布が、開放側辺を広げた状態で、左右方向接続部材と第二接続部材との係合により、収容部の上縁に沿って接続可能に構成してもよい。このように袋部本体と付属布とを接続すると、外出先で急な雨に降られた場合等に、バッグを、付属布の部位をフードとする簡易合羽として使用することができる。エプロンの場合と同様、収容部の左右方向の幅寸法を縮めるための左右方向接続部材を、そのまま、付属布を接続させるのに使用できるため、別途、付属布を接続する手段を袋部本体側にもうける必要がない。
【手続補正３】
【補正対象書類名】明細書
【補正対象項目名】００３６
【補正方法】変更
【補正の内容】
【００３６】
また、付属布１０は、長さ方向における一辺である閉じ側辺１２に、長さ方向で二つ折りした際に閉じ側辺１２を閉じ可能とする締結部材１５を備え、閉じ側辺１２と対向する開放側辺１７に沿って第二接続部材４０ａ，４０ｂを配設させている。この第二接続部材４０ａ，４０ｂは、収容部５の上縁５ａ（背面側壁部３５の上縁３５ａ）近傍に配置された左右方向接続部材３０ａ，３０ｂと雌雄が対応する状態で配設されているから、締結部材１５により閉じ側辺１２を閉じられた付属布１０が、開放側辺１７を広げた状態で、収容部５の上縁に沿って接続可能となり、外出先で急な雨に降られた場合等に、バッグＢを、付属布１０の部位をフードとする簡易合羽として使用することができる。また、エプロンの場合と同様、収容部５の左右方向の幅寸法を縮めるための左右方向接続部材３０ａ，３０ｂを、そのまま、付属布１０を接続させるのに使用できるため、別途、付属布１０を接続する手段を、袋部本体１側に設ける必要がない。
【手続補正４】
【補正対象書類名】明細書
【補正対象項目名】００３８
【補正方法】変更
【補正の内容】
【００３８】
また、バッグＢは、第一接続部材２０，３０の使用により小さく変形された収容部を覆って装飾するカバー部材６０をさらに備えるため、ハンドバッグとして使用される場合の外観を向上させることができる。カバー部材６０は、色、模様、素材の異なる数種類を用意すれば、季節や服に合わせて取り替えることができる。